(57)【特許請求の範囲】
【請求項１】
デジタル放送にて伝送される付加情報を用いて番組表を生成する番組表生成部を備えたデジタル放送受信機において、
前記番組表生成部は、
同一の放送局より送信される複数のチャンネルを横方向もしくは縦方向の一方の軸とし、時間帯を横方向もしくは縦方向の他方の軸として、チャンネルと時間帯とによって決まる区画に前記付加情報に含まれる番組情報を表示する手段と、
ある時間帯における前記複数のチャンネル内に放送がなされるチャンネルと放送がなされない休止チャンネルとが混在する場合には、前記放送がなされるチャンネルの区画の面積を前記休止チャンネルの区画の面積よりも大として、前記放送がなされるチャンネルの区画内に番組情報を表示する手段とを有することを特徴とするデジタル放送受信機。
【請求項２】
デジタル放送にて伝送される付加情報を用いて番組表を生成する番組表生成部を備えたデジタル放送受信機において、
前記番組表生成部は、
同一の放送局より送信される複数のチャンネルを横方向もしくは縦方向の一方の軸とし、時間帯を横方向もしくは縦方向の他方の軸として、チャンネルと時間帯とによって決まる区画に前記付加情報に含まれる番組情報を表示する手段と、
ある時間帯における前記複数のチャンネル内に放送がなされるチャンネルと放送がなされない休止チャンネルとが混在する場合には、前記休止チャンネルの区画の面積を０とし、前記放送がなされるチャンネルの区画の面積を大として、前記放送がなされるチャンネルの区画内に番組情報を表示する手段とを有することを特徴とするデジタル放送受信機。
【発明の詳細な説明】
【０００１】
【発明の属する技術分野】
本発明は、デジタル放送を受信するデジタル放送受信機に係り、特に、番組表の表示方法を改良したデジタル放送受信機に関する。
【０００２】
【従来の技術】
デジタル放送においては、衛星の１つのトランスポンダによって複数のチャンネルを送信することができることから、多チャンネルの放送が可能である。近々放送される予定のＢＳデジタル放送においても、５０を超える多チャンネル放送が想定されている。ＢＳデジタル放送では、４８スロットよりなる１つのトランスポンダを複数に分けて、それぞれの放送局に割り当てている。
【０００３】
また、ＢＳデジタル放送では、通常のテレビジョン放送（以下、ＳＤＴＶ）と高精細のテレビジョン放送（以下、ＨＤＴＶ）とのいずれかが放送される。主要なテレビジョン放送局には２２スロットが割り当てられており、ＨＤＴＶは最大２２スロットを用いて放送される。ＳＤＴＶの放送に必要なスロット数はＨＤＴＶよりも少ないので、２２スロットで３チャンネル程度のＳＤＴＶの放送が可能である。
【０００４】
ＳＤＴＶには、走査線４８０本のインターレース（以下、４８０ｉ）と、走査線４８０本の順次走査（以下、４８０ｐ）がある。ＨＤＴＶは、走査線１０８０本のインターレース（以下、１０８０ｉ）である。また、ＳＤＴＶの２チャンネル分を用いて、走査線７２０本の順次走査（以下、７２０ｐ）の放送の可能性もある。
【０００５】
このように、デジタル放送においては、ＨＤＴＶとＳＤＴＶとの双方の方式が存在することから、ある放送局ではＨＤＴＶを放送し、他のある放送局ではＳＤＴＶを放送するというＨＤＴＶとＳＤＴＶとの混在があり得る。また、１つの放送局から放送される場合でも、時間帯によってはＨＤＴＶだけであったり、ＳＤＴＶだけであったりするので、１つの放送局内でも時間帯の違いによるＨＤＴＶとＳＤＴＶとの混在があり得る。従って、実際に放送されるチャンネル数は、放送局や時間帯によって弾力的に運用され、変更されることになる。以下、これをまだら編成と称することとする。
【０００６】
【発明が解決しようとする課題】
ところで、ＳＤＴＶの３チャンネル分を用いてＨＤＴＶを放送する場合、ＨＤＴＶの放送方法や、放送番組自体の映像信号や音声信号と併せて伝送する番組情報等の付加情報の伝送方法としては、次の２種類がある。ＳＤＴＶの３チャンネル分（２２スロット）を用いてＨＤＴＶの番組を放送し、ＳＤＴＶの３チャンネル分それぞれで同一内容の付加情報を伝送する場合と、ＳＤＴＶの３チャンネル分の大部分（例えば２０スロット）をＨＤＴＶの１チャンネル分とし、残りを他の２チャンネル分に放送休止として割り当てる場合である。
【０００７】
図４は、まだら編成における従来の番組表の一例を示している。なお、番組表とは、放送番組自体の映像信号や音声信号と併せて伝送される付加情報を用いて画面上に電子的に生成する電子番組表（ＥＰＧ）のことである。図４に示す番組表５０では、Ａ局の時間帯毎の放送内容を示している。Ａ局には１０１〜１０３チャンネルが割り当てられているとする。図４において、１８：００〜１９：００と１９：００〜２０：００の時間帯では、１０１〜１０３チャンネルそれぞれでＳＤＴＶの異なる番組の放送が行われる。
【０００８】
２０：００〜２１：００の時間帯では、１０１〜１０３の３チャンネル分を用いたＨＤＴＶの映画が放送され、１０１〜１０３の３チャンネルそれぞれで同一内容の付加情報が伝送される。ＳＤＴＶの３チャンネル分それぞれで同一内容の付加情報（番組情報）が伝送され、その付加情報を用いてそのまま番組表を生成した場合には、Ａ局の１０１〜１０３チャンネルの２０：００〜２１：００の時間帯では、ＨＤＴＶの１つの番組が放送されるにもかかわらず、番組表の表示としては、３つの区画５１〜５３に分かれてしまい、視覚的に好ましくないという問題点があった。
【０００９】
また、２１：００〜２２：００の時間帯では、１０１〜１０３の３チャンネルの大部分をＨＤＴＶの１チャンネル分に割り当てて１０１チャンネルとしてＨＤＴＶのプロサッカーが放送され、残りを放送休止の１０２，１０３チャンネルとして割り当てている。この場合、１０１チャンネルで付加情報（番組情報）が伝送され、１０２，１０３チャンネルはでは放送休止であるから、その付加情報を用いてそのまま番組表を生成した場合には、Ａ局の１０１〜１０３チャンネルの２１：００〜２２：００の時間帯では、区画５４には番組名等の番組情報が表示され、区画５５，５６には休止と表示される。それぞれの区画の面積は限られているため、番組名等の限られた情報のみを表示しており、休止という情報のみを区画５５，５６に表示することは限られた面積を有効活用するという点では好ましくないという問題点があった。
【００１０】
さらに、図４では、Ａ局のテレビ放送のチャンネルのみを示しているが、テレビ放送局がラジオ放送のチャンネルを保有していたり、データ放送のチャンネルを保有することもあり得る。同一の放送局がテレビ放送とラジオ放送、テレビ放送とデータ放送、テレビ放送とラジオ放送とデータ放送を保有する場合には、番組表の表示もそれに対応することが必要となる。また、ＢＳデジタル放送では、衛星の１つのトランスポンダ（即ち、物理的な１チャンネル）から送信されるトランスポートストリームを複数（例えば２つ）に分けて伝送するので、放送局単位ではなくトランスポートストリーム単位で番組表を表示することも考えられる。同一のトランスポートストリーム内にテレビ放送とラジオ放送やデータ放送が混在している場合においても、番組表の表示もそれに対応することが必要となる。
【００１１】
本発明はこのような問題点に鑑みてなされたものであり、複数のチャンネルを用いて１つの番組が放送され、その１つの番組を放送する複数のチャンネルの全てにてその１つの番組の番組情報が伝送される場合に視認性のよい番組表を表示することができるデジタル放送受信機を提供することを目的とする。また、同一の放送局より送信される複数のチャンネル内に放送休止チャンネルが存在する場合に視認性のよい番組表を表示することができるデジタル放送受信機を提供することを目的とする。さらに、テレビ放送とラジオ放送とデータ放送の内の少なくとも２つが同一の放送局より、もしくは、同一のトランスポートストリームにて送信される場合に視認性のよい番組表を表示することができるデジタル放送受信機を提供することを目的とする。
【００１２】
【課題を解決するための手段】
本発明は、上述した従来の技術の課題を解決するため、以下のように構成されるデジタル放送受信機を提供する。
（１）デジタル放送にて伝送される付加情報を用いて番組表を生成する番組表生成部を備えたデジタル放送受信機において、前記番組表生成部は、同一の放送局より送信される複数のチャンネルを横方向もしくは縦方向の一方の軸とし、時間帯を横方向もしくは縦方向の他方の軸として、チャンネルと時間帯とによって決まる区画に前記付加情報に含まれる番組情報を表示する手段と、ある時間帯における前記複数のチャンネル内に放送がなされるチャンネルと放送がなされない休止チャンネルとが混在する場合には、前記放送がなされるチャンネルの区画の面積を前記休止チャンネルの区画の面積よりも大として、前記放送がなされるチャンネルの区画内に番組情報を表示する手段とを有することを特徴とするデジタル放送受信機。
（２）デジタル放送にて伝送される付加情報を用いて番組表を生成する番組表生成部を備えたデジタル放送受信機において、前記番組表生成部は、同一の放送局より送信される複数のチャンネルを横方向もしくは縦方向の一方の軸とし、時間帯を横方向もしくは縦方向の他方の軸として、チャンネルと時間帯とによって決まる区画に前記付加情報に含まれる番組情報を表示する手段と、ある時間帯における前記複数のチャンネル内に放送がなされるチャンネルと放送がなされない休止チャンネルとが混在する場合には、前記休止チャンネルの区画の面積を０とし、前記放送がなされるチャンネルの区画の面積を大として、前記放送がなされるチャンネルの区画内に番組情報を表示する手段とを有することを特徴とするデジタル放送受信機。
【００１３】
【発明の実施の形態】
以下、本発明のデジタル放送受信機について、添付図面を参照して説明する。図１は本発明のデジタル放送受信機の一実施例を示すブロック図、図２は本発明のデジタル放送受信機で用いるリモコン送信機の一例を示す図、図３は本発明のデジタル放送受信機による番組表の例を示す図である。
【００１４】
図１において、アンテナ１より入力されたデジタル放送波は、受信復調部２によって受信され、伝送過程において変調されていた信号が復調されてベースバンドのビットストリーム信号とされる。このビットストリーム信号がスクランプルのかかった信号であれば、デスクランブラ３によってスクランブルが解除され、デマルチプレクス／ＡＶデコード部４に入力される。デマルチプレクス／ＡＶデコード部４は、映像信号及び音声信号と番組情報等の付加情報とを分離し、映像信号及び音声信号をデコードして出力する。
【００１５】
付加情報は、マイクロプロセッサ６によって取り込まれ、メモリ９に貯蔵される。ユーザが例えばリモコン送信機８によって番組表を表示させるよう操作すると、マイクロプロセッサ６はメモリ９より付加情報を読み出し、オンスクリーン信号発生部１０を制御し、後述するような番組表を生成させる。映像信号及び音声信号はＤＡコンバータ５に入力されてアナログ信号とされ、合成部１１に入力される。合成部１１は、映像信号とオンスクリーン信号発生部１０より出力された番組表とを合成する。そして、映像信号及び音声信号は、図示していない受像機やビデオテープレコーダへと供給される。
【００１６】
マイクロプロセッサ６は、受信復調部２〜ＤＡコンバータ５，メモリ９，オンスクリーン信号発生部１０やここでは図示していない回路各部を制御する。操作部７は受信機の本体に設けられたものであり、ユーザが操作部７を操作すると、操作部７からの信号はマイクロプロセッサ６に入力され、マイクロプロセッサ６は操作の対象とされた回路を制御する。ユーザがリモコン送信機８を操作すると、リモコン送信機８からの信号はマイクロプロセッサ６に入力され、マイクロプロセッサ６は操作の対象とされた回路を制御する。なお、リモコン送信機８も操作部である。
【００１７】
図２は、リモコン送信機８の一例を示している。ここでは、リモコン送信機８について示すが、同様なキーを操作部７に設けてもよい。図２に示すように、リモコン送信機８は、“１”〜“０”よりなるテンキー８１と、チャンネルを順次アップもしくはダウンさせるアップダウンキー８２を備える。さらに、リモコン送信機８は、放送局毎に設けた放送局キー８３と、放送局を順次アップもしくはダウンさせるアップダウンキー８４と、番組表を表示させるための番組表表示キー８５を備える。放送局キー８３には、それぞれ、Ａ局，Ｂ局，Ｃ局…と放送局名を付している。
【００１８】
本発明は、オンスクリーン信号発生部１０にて生成する番組表に特徴があり、その実施例を図３（Ａ），（Ｂ）に示す。リモコン送信機８に設けた番組表表示キー８５を押すことにより、オンスクリーン信号発生部１０は図３（Ａ），（Ｂ）に示すような番組表２０，２０′を生成して画面上に表示する。まず、図３（Ａ）において、番組表２０は、放送局毎に表示され、ここではＡ局の番組を表示した場合を示している。なお、複数の放送局を一度に表示してもよい。放送局キー８３やアップダウンキー８４を押すことにより、番組表の放送局を切り換えることができる。
【００１９】
図３（Ａ）に示すように、Ａ局は、一例として、１０１〜１０３チャンネルのテレビ放送のチャンネルと、５０１，５０２チャンネルのラジオ放送のチャンネルと、９０１チャンネルのデータ放送のチャンネルとを保有している。なお、異なるチャンネルは異なるサービスＩＤにて放送される。番組表２０は、テレビ放送の表示エリア２１と、ラジオ放送の表示エリア２２と、データ放送の表示エリア２３とを有し、これらは互いに分離されつつも、全体としては一体化されている。本実施例では、より好ましい実施形態として、表示エリア２１，２２，２３間に間隔を設けているが、単なる線にて分けてもよく、テレビ放送，ラジオ放送，データ放送のチャンネルが混在せず、表示エリア２１，２２，２３が視覚的に認識することができるよう分離されていればよい。
【００２０】
１８：００〜１９：００の時間帯では、１８：００〜１９：００と１９：００〜２０：００の時間帯では、１０１〜１０３チャンネルそれぞれでＳＤＴＶの異なる番組の放送が行われる。このとき、１つのチャンネルと時間帯によって決まる基本となる通常の１つの区画２４（図４における１つの区画５１等と同様）には、番組名等の番組情報が表示される。
【００２１】
２０：００〜２１：００の時間帯では、１０１〜１０３の３チャンネル分を用いたＨＤＴＶの映画が放送され、１０１〜１０３の３チャンネルそれぞれで同一内容の付加情報が伝送される。このとき、本発明では、図４の従来例のように、３つの区画５１〜５３に分けるのではなく、１０１〜１０３チャンネルの全てを統合して１つの区画２５とし、この区画２５内に番組名等の番組情報を表示する。このようにすると、区画２５の面積は、基本となる通常の１つの区画２４よりも大きくすることができるので、番組名だけでなく、あらすじ等の他の付加情報も表示することが可能となる。あるいは、番組名だけを表示する場合でも、より大きな文字で表示することができるので、見やすくなる。１０１〜１０３チャンネルの内、２つのチャンネルを用いて１つの番組の放送が行われる場合も同様に、２つの区画を統合する。
【００２２】
また、２１：００〜２２：００の時間帯では、１０１〜１０３の３チャンネルの大部分をＨＤＴＶの１チャンネル分に割り当てて１０１チャンネルとしてＨＤＴＶのプロサッカーが放送され、残りを放送休止の１０２，１０３チャンネルとして割り当てている。放送休止であることはわずかなスロットにて伝送することができる。このとき、放送休止チャンネルである１０２，１０３チャンネルの区画２７，２８の面積を小さくし、放送が行われる１０１チャンネルの区画２６の面積を大きくする。休止であることはわずかな面積で表示できるので、区画２７，２８の面積を小さくても問題ない。１０１チャンネルの区画２６の面積を大きくするので、番組名だけでなく、あらすじ等の他の付加情報も表示することが可能となり、番組名だけを表示する場合でも、より大きな文字で表示することができるので、見やすくなる。なお、区画２７，２８には、１０２，１０３なるチャンネル数（チャンネル名）を併せて表示することにより、１０２，１０３チャンネルが休止中であることを容易に理解できる。
【００２３】
図３（Ｂ）に示す表示例は、放送休止チャンネルである場合の表示形態が図３（Ａ）と異なるのみであるので、他の部分の説明は省略する。２１：００〜２２：００の時間帯では、１０１〜１０３の３チャンネルの大部分をＨＤＴＶの１チャンネル分に割り当てて１０１チャンネルとしてＨＤＴＶのプロサッカーが放送され、残りを放送休止の１０２，１０３チャンネルとして割り当てている。このとき、放送休止チャンネルである１０２，１０３チャンネルの区画２７，２８の面積を０とする。即ち、１０２，１０３チャンネルの区画２７，２８を全くなくし、放送が行われる１０１チャンネルの区画２６の面積を通常の面積（区画２４）よりも大きくする。この例では、１０１〜１０３チャンネルの全てを１つの区画２６′とし、この区画２６′内に番組名等の情報を表示している。１０１チャンネルの区画２６′の面積を大きくするので、番組名だけでなく、あらすじ等の他の付加情報も表示することが可能となり、番組名だけを表示する場合でも、より大きな文字で表示することができるので、見やすくなる。
【００２４】
図３（Ａ），（Ｂ）においては、テレビ放送の複数のチャンネルで１つの番組が放送されていたり、放送休止チャンネルが存在する場合について示したが、ラジオ放送においても同様の表示方法とする。また、ここではデータ放送が１チャンネルのみの場合を示しているが、データ放送でも複数のチャンネルがある場合には、同様である。
【００２５】
以上のように、本発明による番組表２０，２０′は、同一の放送局より送信される複数のチャンネルを横方向の軸とし、時間帯を縦方向の軸として、チャンネルと時間帯とによって決まる区画に番組名等の番組情報を表示する。チャンネルを縦方向の軸とし、時間帯を横方向の軸としてもよい。そして、同一の放送局より送信される複数のチャンネルを１つのグループとして番組表２０，２０′を生成している。ある時間帯における複数のチャンネルの全てもしくはその一部である複数のチャンネルを用いて１つの番組が放送され、その１つの番組を放送する複数のチャンネルの全てにてその１つの番組の番組情報が伝送される場合には、その１つの番組を放送する複数のチャンネルの区画を１つの区画として、この１つの区画内にその番組情報を表示する。従って、視覚的に好ましく、視認性に優れる。これらは、番組表生成部であるオンスクリーン信号発生部１０をマイクロプロセッサ６が制御することによって実現される。
【００２６】
また、本発明による番組表２０は、ある時間帯における複数のチャンネル内に放送がなされるチャンネルと放送がなされない休止チャンネルとが混在する場合には、放送がなされるチャンネルの区画の面積を休止チャンネルの区画の面積よりも大として、放送がなされるチャンネルの区画内に番組情報を表示する。本発明による番組表２０′は、休止チャンネルの区画の面積を０とし、放送がなされるチャンネルの区画の面積を大とする。従って、視覚的に好ましく、視認性に優れる。これらは、番組表生成部であるオンスクリーン信号発生部１０をマイクロプロセッサ６が制御することによって実現される。
【００２７】
さらに、本発明では、テレビ放送のチャンネルとラジオ放送のチャンネルとデータ放送のチャンネルの内の少なくとも２つの同一の放送局より送信されるチャンネルを１つのグループとし、この少なくとも２つのチャンネルが混在しないように１つの番組表２０，２０′として表示する。従って、同一の放送局より送信されるチャンネルをテレビ放送のような単一種別だけでなく、テレビ放送とラジオ放送のような複数種別で放送している場合でも一度に表示でき、使い勝手が向上する。これらは、番組表生成部であるオンスクリーン信号発生部１０をマイクロプロセッサ６が制御することによって実現される。
【００２８】
特に図示しないが、放送局単位ではなくトランスポートストリーム単位で番組表を表示してもよい。トランスポートストリーム単位で番組表を表示する場合には、同一のトランスポートストリームにて送信される複数のチャンネルを横方向もしくは縦方向の一方の軸とし、時間帯を横方向もしくは縦方向の他方の軸として、チャンネルと時間帯とによって決まる区画に番組情報を表示する。そして、テレビ放送のチャンネルとラジオ放送のチャンネルとデータ放送のチャンネルの内の少なくとも２つの同一のトランスポートストリームにて送信されるチャンネルを１つのグループとし、この少なくとも２つのチャンネルが混在しないように１つの番組表として表示する。これらは、番組表生成部であるオンスクリーン信号発生部１０をマイクロプロセッサ６が制御することによって実現される。
【００２９】
【発明の効果】
以上詳細に説明したように、本発明のデジタル放送受信機は、ある時間帯における前記複数のチャンネルの全てもしくはその一部である複数のチャンネルを用いて１つの番組が放送され、その１つの番組を放送する複数のチャンネルの全てにて前記１つの番組の番組情報が伝送される場合には、前記１つの番組を放送する複数のチャンネルの区画を１つの区画として、この１つの区画内にその番組情報を表示する手段を設けたので、同一の放送局より送信される複数のチャンネルを用いて１つの番組が放送される場合に視認性のよい番組表を表示することができる。
【００３０】
また、ある時間帯における複数のチャンネル内に放送がなされるチャンネルと放送がなされない休止チャンネルとが混在する場合には、放送がなされるチャンネルの区画の面積を休止チャンネルの区画の面積よりも大として、放送がなされるチャンネルの区画内に番組情報を表示する手段や、休止チャンネルの区画の面積を０とし、放送がなされるチャンネルの区画の面積を大として、放送がなされるチャンネルの区画内に番組情報を表示する手段を設けたので、同一の放送局より送信される複数のチャンネル内に放送休止チャンネルが存在する場合に視認性のよい番組表を表示することができる。
【図面の簡単な説明】
【図１】本発明の一実施例を示すブロック図である。
【図２】本発明で用いるリモコン送信機の一例を示す図である。
【図３】本発明による番組表の例を示す図である。
【図４】従来例による番組表の一例を示す図である。
【符号の説明】
１  アンテナ
２  受信復調部
３  デスクランブラ
４  デマルチプレクス／ＡＶデコード部
５  ＤＡコンバータ
６  マイクロプロセッサ
７  操作部
８  リモコン送信機（操作部）
９  メモリ
１０  オンスクリーン信号発生部（番組表生成部）
１１  合成部
２０，２０′  番組表
【図１】
0003582428.tif 000002
【図２】
0003582428.tif 000003
【図３】
0003582428.tif 000004
【図４】
0003582428.tif 000005